【手続補正書】
【提出日】平成25年8月29日(2013.8.29)
【手続補正１】
【補正対象書類名】特許請求の範囲
【補正対象項目名】全文
【補正方法】変更
【補正の内容】
【特許請求の範囲】
【請求項１】
図柄変動ゲームが大当りとなることへの可能性を示唆する予告演出の演出内容を、複数種類の演出内容の中から図柄変動ゲームの演出内容に応じて決定する演出内容決定手段と、当該演出内容決定手段が決定した演出内容で予告演出を演出実行手段に実行させる演出制御手段を備えた遊技機において、
図柄変動ゲームの開始から終了までには、予告演出を実行可能な実行期間が複数設定されており、
複数種類の演出内容のうちの特定演出内容で予告演出を実行可能な実行可能回数は、図柄変動ゲームの大当り期待度が高いほど多い回数が実行可能回数として定められ、
前記演出内容決定手段は、
図柄変動ゲーム中に特定演出内容の予告演出を実行する回数が、前記実行可能回数を超える回数とならないように、各実行期間における予告演出の演出内容を決定し、
図柄変動ゲームの開始時点に近い実行期間にて実行する予告演出の演出内容として特定演出内容を決定する確率よりも高い確率で、図柄変動ゲームの終了時点に近い実行期間にて実行する予告演出の演出内容として特定演出内容を決定することを特徴とする遊技機。
【請求項２】
前記実行期間には、
図柄変動ゲームの開始からリーチ演出実行開始前に設定される実行期間と、リーチ演出実行開始後から図柄変動ゲーム終了までに設定される実行期間があることを特徴とする請求項１に記載の遊技機。
【請求項３】
前記図柄変動ゲームが大当りとなる場合、当該図柄変動ゲーム終了後に付与する大当り遊技の種類を、特別入賞手段を開放させて行う第１大当り遊技と、前記第１大当り遊技よりも遊技者にとって有利な第２大当り遊技の中から決定し、当該決定した大当り遊技を前記図柄変動ゲーム終了後に付与する大当り遊技付与手段を備え、
前記大当り遊技付与手段が前記第１大当り遊技の付与を決定した場合には、第２大当り遊技の付与を決定した場合よりも、図柄変動ゲームの大当り期待度が高いときに定められる実行可能回数の中で少ない回数が実行可能回数として定められることを特徴とする請求項１又は請求項２に記載の遊技機。
【請求項４】
前記演出内容決定手段は、
各実行期間にて実行する予告演出の演出内容を、所定の順序で決定し、
図柄変動ゲームの実行期間にて実行する予告演出の演出内容を決定する際、その図柄変動ゲームで実行する予告演出の演出内容として決定してきた演出内容のうち、特定演出内容を決定した回数が、その図柄変動ゲームに定められた実行可能回数に達している場合、前記特定演出内容以外の非特定演出内容の予告演出を実行することを決定する一方で、
その図柄変動ゲームで実行する予告演出の演出内容として決定してきた演出内容のうち、特定演出内容を決定した回数が、その図柄変動ゲームに定められた実行可能回数に達していない場合、特定演出内容及び非特定演出内容の中から予告演出の演出内容を決定することを特徴とする請求項１〜請求項３のうち何れか一項に記載の遊技機。
【請求項５】
前記演出内容決定手段は、
特定演出内容及び非特定演出内容の中から予告演出の演出内容を決定する際、図柄変動ゲームが大当りとなる場合には、図柄変動ゲームが大当りとならない場合と比較して、特定演出内容の予告演出を実行すると決定しやすいことを特徴とする請求項４に記載の遊技機。
【請求項６】
前記非特定演出内容には、第１非特定演出内容と、前記第１非特定演出内容とは異なる第２非特定演出内容があり、
前記演出内容決定手段は、
前記非特定演出内容を実行する実行期間にて実行する予告演出の演出内容として、図柄変動ゲームが大当りとなる場合には、前記第１非特定演出内容よりも高確率で前記第２非特定演出内容を決定する一方で、図柄変動ゲームが大当りとならない場合には、前記第２非特定演出内容よりも高確率で前記第１非特定演出内容を決定することを特徴とする請求項４又は請求項５に記載の遊技機。
【手続補正２】
【補正対象書類名】明細書
【補正対象項目名】０００７
【補正方法】変更
【補正の内容】
【０００７】
上記問題点を解決するために、請求項１に記載の発明は、図柄変動ゲームが大当りとなることへの可能性を示唆する予告演出の演出内容を、複数種類の演出内容の中から図柄変動ゲームの演出内容に応じて決定する演出内容決定手段と、当該演出内容決定手段が決定した演出内容で予告演出を演出実行手段に実行させる演出制御手段を備えた遊技機において、図柄変動ゲームの開始から終了までには、予告演出を実行可能な実行期間が複数設定されており、複数種類の演出内容のうちの特定演出内容で予告演出を実行可能な実行可能回数は、図柄変動ゲームの大当り期待度が高いほど多い回数が実行可能回数として定められ、前記演出内容決定手段は、図柄変動ゲーム中に特定演出内容の予告演出を実行する回数が、前記実行可能回数を超える回数とならないように、各実行期間における予告演出の演出内容を決定し、図柄変動ゲームの開始時点に近い実行期間にて実行する予告演出の演出内容として特定演出内容を決定する確率よりも高い確率で、図柄変動ゲームの終了時点に近い実行期間にて実行する予告演出の演出内容として特定演出内容を決定することを要旨とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項２に記載の発明は、請求項１に記載の遊技機において、前記実行期間には、図柄変動ゲームの開始からリーチ演出実行開始前に設定される実行期間と、リーチ演出実行開始後から図柄変動ゲーム終了までに設定される実行期間があることを要旨とする。
【手続補正５】
【補正対象書類名】明細書
【補正対象項目名】００１０
【補正方法】変更
【補正の内容】
【００１０】
請求項３に記載の発明は、請求項１又は請求項２に記載の遊技機において、前記図柄変動ゲームが大当りとなる場合、当該図柄変動ゲーム終了後に付与する大当り遊技の種類を、特別入賞手段を開放させて行う第１大当り遊技と、前記第１大当り遊技よりも遊技者にとって有利な第２大当り遊技の中から決定し、当該決定した大当り遊技を前記図柄変動ゲーム終了後に付与する大当り遊技付与手段を備え、前記大当り遊技付与手段が前記第１大当り遊技の付与を決定した場合には、第２大当り遊技の付与を決定した場合よりも、図柄変動ゲームの大当り期待度が高いときに定められる実行可能回数の中で少ない回数が実行可能回数として定められることを要旨とする。
【手続補正６】
【補正対象書類名】明細書
【補正対象項目名】００１１
【補正方法】変更
【補正の内容】
【００１１】
請求項４に記載の発明は、請求項１〜請求項３のうち何れか一項に記載の遊技機において、前記演出内容決定手段は、各実行期間にて実行する予告演出の演出内容を、所定の順序で決定し、図柄変動ゲームの実行期間にて実行する予告演出の演出内容を決定する際、その図柄変動ゲームで実行する予告演出の演出内容として決定してきた演出内容のうち、特定演出内容を決定した回数が、その図柄変動ゲームに定められた実行可能回数に達している場合、前記特定演出内容以外の非特定演出内容の予告演出を実行することを決定する一方で、その図柄変動ゲームで実行する予告演出の演出内容として決定してきた演出内容のうち、特定演出内容を決定した回数が、その図柄変動ゲームに定められた実行可能回数に達していない場合、特定演出内容及び非特定演出内容の中から予告演出の演出内容を決定することを要旨とする。
【手続補正７】
【補正対象書類名】明細書
【補正対象項目名】００１２
【補正方法】変更
【補正の内容】
【００１２】
請求項５に記載の発明は、請求項４に記載の遊技機において、前記演出内容決定手段は、特定演出内容及び非特定演出内容の中から予告演出の演出内容を決定する際、図柄変動ゲームが大当りとなる場合には、図柄変動ゲームが大当りとならない場合と比較して、特定演出内容の予告演出を実行すると決定しやすいことを要旨とする。
【手続補正８】
【補正対象書類名】明細書
【補正対象項目名】００１３
【補正方法】変更
【補正の内容】
【００１３】
請求項６に記載の発明は、請求項４又は請求項５に記載の遊技機において、前記非特定演出内容には、第１非特定演出内容と、前記第１非特定演出内容とは異なる第２非特定演出内容があり、前記演出内容決定手段は、前記非特定演出内容を実行する実行期間にて実行する予告演出の演出内容として、図柄変動ゲームが大当りとなる場合には、前記第１非特定演出内容よりも高確率で前記第２非特定演出内容を決定する一方で、図柄変動ゲームが大当りとならない場合には、前記第２非特定演出内容よりも高確率で前記第１非特定演出内容を決定することを要旨とする。
【手続補正９】
【補正対象書類名】明細書
【補正対象項目名】０１７４
【補正方法】変更
【補正の内容】
【０１７４】
次に、上記実施形態及び別例から把握できる技術的思想を以下に追記する。
（イ）前記演出内容決定手段は、前記図柄変動ゲームの終了時点に近い実行期間から図柄変動ゲームの開始時点に近い実行期間にかけて順番に、予告演出の演出内容を決定する。
【手続補正１０】
【補正対象書類名】明細書
【補正対象項目名】０１７５
【補正方法】変更
【補正の内容】
【０１７５】
（ロ）特定演出内容には、大当りとなるか否かに係らず前記演出内容決定手段が予告演出の演出内容として決定可能な第１特定演出内容と、大当りとなるときにのみ前記演出内容決定手段が予告演出の演出内容として決定可能な第２特定演出内容がある。